(57)【要約】【課題】簡便な操作で廃液の吸引を達成できる良好な操作性、廃液の漏出及び逆流を生じることのない高い安全性及び操作者の体表面に装着し易い優れた携帯性を有する廃液吸引装置を提供すること。【解決手段】廃液を導入する導入口、廃液を排出する排出口及び内部の空気を排気可能な逆止弁付の排気口を有する廃液貯留槽と、前記廃液貯留槽内に収容される袋体であり、該袋体の外面及び前記廃液貯留槽の内面で形成される領域に廃液が貯留され、かつ外気と通じている弾力性袋と、内部の空気を排気可能な一方向弁付の通気孔を有し、内容積の増減によって、前記廃液貯留槽から前記排気口を介して吸気し、前記通気孔を介して排気可能であり、前記廃液貯留槽に廃液を貯留するときは前記逆止弁を閉鎖状態にする内容積可変部材とを備えることを特徴とする廃液吸引装置。【選択図】図１
2009112453.tif 000002
【特許請求の範囲】
【請求項１】
廃液を導入する導入口、廃液を排出する排出口及び内部の空気を排気可能な逆止弁付の排気口を有する廃液貯留槽と、
前記廃液貯留槽内に収容される袋体であり、該袋体の外面及び前記廃液貯留槽の内面で形成される領域に廃液が貯留され、かつ外気と通じている弾力性袋と、
内部の空気を排気可能な一方向弁付の通気孔を有し、内容積の増減によって、前記廃液貯留槽から前記排気口を介して吸気し、前記通気孔を介して排気可能であり、前記廃液貯留槽に廃液を貯留するときは前記逆止弁を閉鎖状態にする内容積可変部材とを備えることを特徴とする廃液吸引装置。
【請求項２】
前記廃液貯留槽が円筒形状を有し、
前記内容積可変部材が有底円筒形状を有するシリンダであり、かつ前記廃液貯留槽が挿入されて前記廃液貯留槽の周側面を摺動可能に形成されてなることを特徴とする請求項１に記載の廃液吸引装置。
【発明の詳細な説明】
【技術分野】
【０００１】
この発明は、廃液吸引装置に関し、特に詳しくは、簡便な操作で廃液の吸引を達成できる良好な操作性、廃液の漏出及び逆流を生じることのない高い安全性及び操作者の体表面に装着し易い優れた携帯性を有する廃液吸引装置に関する。
【背景技術】
【０００２】
特許文献１には、「切開創もしくは手術創からの排血液等の体液（排液）を吸引集液するための用具であって、容器本体と、・・・袋状部材とから成り、容器本体の上部には、吸引手段に接続するための吸引口・・・が設けられており、一方、貯溜部は・・・伸展拡径して容器本体上部下面の排液口および取出口を内在する領域を取り囲む位置に固着してなることを特徴とする体液吸引集液器」が記載されている（特許文献１の請求項１参照）。吸引手段として、「剛性容器（１１）内に膨張収縮自在な弾性部材（１２）（バルーン等）が内蔵され、上下両端に一方向弁を備えたゴム球（１３）を用いて剛性容器（１１）内を排気して弾性部材（１２）を膨張させ、その収縮によって吸引力を発生させる吸引具（１０）」を装着した「体液吸引集液器」の具体例が示されている。特許文献１に示される「体液吸引集液器」の具体例では、廃液を貯留する容器本体と吸引手段とが単に並列されているに過ぎないと認められる（特許文献１の図２参照）。
【０００３】
例えば、容器本体と吸引具とを面ファスナー等の結合手段により結合した場合に、操作者が容器本体又は吸引具を把持して「体液吸引集液器」を持ち上げようとすると、把持していない側の自重により結合手段の結合状態が解除されて容器本体と吸引具とが分離する虞がある。また、体液を吸引して貯留する装置は、操作者が体表面に装着して持ち運ぶことが多いので、容器本体と吸引手段とが並列されていると装置が大型化してしまい、操作者の体表面に装着し難く、負担になることがあった。なお、容器本体と吸引具とが分離可能であると、吸引具を作動させて容器本体内を減圧している状態で操作者の不注意等により容器本体と吸引具とが分離してしまうと、容器本体内に貯留している体液が体内に逆流する可能性があり、生体に使用する装置には高い安全性が要求されるので好ましくない。更に言うと、袋状部材が破損してしまった場合には、吸引手段にまで廃液が流入する可能性があり、衛生面から好ましくない。
【０００４】
特許文献１に示されるような容器本体と吸引手段とが別体的に設けられる態様ではなく、一体的に構成されている液体吸引器具の一例が特許文献２に示されている。特許文献２には、「・・・自己復元性を有する吸引具本体と、該吸引具本体に設けられ・・・る連通口部及び吸引口部と、該吸引口部に接続された吸引チューブとからな・・・る液体用吸引具において、・・・逆止弁を前記連通口部に設け・・・たことを特徴とする液体吸引具」が記載されている（特許文献２の請求項１参照）。更に、連通口部に設けられる逆止弁の具体例も記載されている（特許文献２の実施例欄、図２及び７参照）。
【０００５】
特許文献２に示される液体吸引具は、液体を吸引している途中では蛇腹部が圧縮状態であるので、吸引した液量を目視しようとしても、目盛りが見難いことがある。また、持続した吸引の達成が装置全体の大型化を招いてしまうと考えられる。更に、操作者の例えば腰部分等に装着し難く、携帯性が悪いことも考えられる。蛇腹部を圧縮状態にするだけでは、所定の減圧状態を達成できたかどうか分かり難いという難点もあった。
【０００６】
かかる難点に鑑みて、簡便な操作で廃液の吸引を達成できる良好な操作性、廃液の漏出及び逆流を生じることのない高い安全性及び操作者の体表面に装着し易い優れた携帯性を有する廃液吸引装置が望まれていた。
【０００７】
【特許文献１】特開平５−１６８６９８号公報
【特許文献２】特開平２−２６１４７２号公報
【発明の開示】
【発明が解決しようとする課題】
【０００８】
この発明が解決しようとする課題は、簡便な操作で廃液の吸引を達成できる良好な操作性、廃液の漏出及び逆流を生じることのない高い安全性及び操作者の体表面に装着し易い優れた携帯性を有する廃液吸引装置を提供することである。
【課題を解決するための手段】
【０００９】
前記課題を解決するための手段としては、
請求項１は、廃液を導入する導入口、廃液を排出する排出口及び内部の空気を排気可能な逆止弁付の排気口を有する廃液貯留槽と、
前記廃液貯留槽内に収容される袋体であり、該袋体の外面及び前記廃液貯留槽の内面で形成される領域に廃液が貯留され、かつ外気と通じている弾力性袋と、
内部の空気を排気可能な一方向弁付の通気孔を有し、内容積の増減によって、前記廃液貯留槽から前記排気口を介して吸気し、前記通気孔を介して排気可能であり、前記廃液貯留槽に廃液を貯留するときは前記逆止弁を閉鎖状態にする内容積可変部材とを備えることを特徴とする廃液吸引装置であり、
請求項２は、前記廃液貯留槽が円筒形状を有し、
前記内容積可変部材が有底円筒形状を有するシリンダであり、かつ前記廃液貯留槽が挿入されて前記廃液貯留槽の周側面を摺動可能に形成されてなることを特徴とする請求項１に記載の廃液吸引装置である。
【発明の効果】
【００１０】
この発明によると、装置自体が小型であるので、例えば操作者の体表面に装着し易く、操作者が腰部分に装着した状態で容易に移動及び動作可能な、優れた携帯性を有している廃液吸引装置を提供することができる。
【００１１】
また、この発明によると、廃液貯留槽内に廃液を吸引する操作が簡便であるような、良好な操作性を有する廃液吸引装置を提供することができる。
【００１２】
更に、一旦貯留した廃液が外部に漏出及び逆流を生じることの無い、高い安全性を有する廃液吸引装置を提供することができる。
【００１３】
この発明によると、シリンダである内容積可変部材に廃液貯留槽が挿入され、内容積可変部材を廃液貯留槽の周側面に摺動させるだけで廃液貯留槽内の排気を行うことができるので、操作性がより一槽向上した廃液吸引装置を提供することができる。
【発明を実施するための最良の形態】
【００１４】
この発明は、廃液貯留槽と、弾力性袋と、内容積可変部材とを有している。
【００１５】
廃液貯留槽は、導入口、排出口及び排気口を備える。
【００１６】
詳述すると、前記導入口は、廃液貯留槽内に廃液を導入することができる。該導入口には、廃液を生体等から導入口まで導出する部材、例えば生体に留置されるカテーテルに結合された開閉弁付きのチューブ等が接続される。
【００１７】
また、前記排出口は、廃液貯留槽内の廃液を排出することができる。該排出口には、廃液貯留槽内に廃液が流入する際に、廃液貯留槽内の減圧状態を解除することのないように着脱可能な適宜の封止部材を装着すると良い。
【００１８】
前記排気口は、廃液貯留槽内部の空気を排気することができ、逆止弁付きである。前記排気口は、逆止弁が取り付けられているので、廃液貯留槽における内部から外部への空気の流通は生じるが、外部から内部への空気の流通は生じることがない。該逆止弁としては、一方向に流体例えば気体の流れを規制できる種々の部材を採用することができる。逆止弁の具体例としては、例えば廃液貯留槽の排気口を封止するゴム膜の略中央部に複数の切れ目を設け、排気口から空気の流通が生じた場合に空気でゴム膜が一方向にのみ押し開かれる態様、又は、コイルスプリング等の付勢により排気口を封止するボール弁を設け、排気口からの空気の流通が生じた場合にボール弁が一方向にのみ付勢力に抗して押し開かれる態様等を挙げることができる。
【００１９】
なお、この発明の廃液吸引装置が吸引及び貯留する廃液としては、特に限定されないが、医療現場で排出される液体又は医療現場に限らず、種々の実験及び作業等で生じた吸引すべき液体等を挙げることができる。詳しく言うと、医療現場において排出される廃液としては、例えば生体の手術後に創傷から溢出するリンパ液、腹膜透析を行う際に排出される透析液、及び血液等を挙げることができる。医療現場で排出される廃液以外にも、例えば化学実験及び生物実験等で排出される廃液を、この発明の廃液吸引装置により吸引することもできる。
【００２０】
前記廃液貯留槽の好ましい態様を例示すると、大きさは１００〜５００ｍＬの廃液を貯留することのできる程度が好ましい。前記廃液貯留槽を大型化して１Ｌ以上の廃液を貯留するような態様も可能ではあるが、例えばこの発明の廃液吸引装置を医療現場で用いる場合には、大量の廃液が貯留されるまで吸引し続けると、生体に不都合な菌類及び微生物等が繁殖する可能性が高まるので不衛生であり、好ましくないことがある。
【００２１】
また、前記廃液貯留槽の材料としては、貯留する廃液により変性しない硬質の材料であれば良く、例えばプラスチック、金属又はセラミック等を用いることができる。前記廃液貯留槽の材料においては、透明又は半透明のプラスチックが好ましく、ポリエチレン、ポリプロピレン、アクリロニトリルブタジエンスチレン共重合樹脂、アクリル樹脂等が特に好ましい。透明又は半透明のプラスチックを用いると、前記廃液貯留槽の大量生産性、加工性、廃液の量の視認性を向上させることができ、かつ装置軽量化を達成することもできる。前記廃液貯留槽が透明又は半透明である場合には、貯留している廃液の量を目視可能なように廃液貯留槽の外周面に液量を示す目盛りを付しても良い。
【００２２】
前記廃液貯留槽の形状としては、廃液貯留槽内の空気を排気しても容易に変形せず、かつ操作者が携帯し易い形状が好ましく、例えば両端を封止した直方体、両端を封止した円筒体又は楕円筒体等を挙げることができる。この発明の廃液吸引装置を医療現場において用いる場合には、操作者の腰部に装着し易い形状として、底面の長軸方向が湾曲した楕円筒状を挙げることもできる。
【００２３】
この発明の廃液吸引装置における弾力性袋は、前記廃液貯留槽内に収容される袋体である。また、この袋体は、袋体で形成される内部空間が外部に通じている。弾力性袋の内部空間には廃液が流入することがなく、弾力性袋の外面と前記廃液貯留槽の内面とで形成される領域（以下、「貯留領域」と称することがある。）に廃液が流入及び貯留されることとなる。該弾力性袋は、弾性力を有しているので、前記廃液貯留槽内で膨満及び収縮することができる。弾力性袋が前記廃液貯留槽内で膨満すると、弾力性袋の内部空間の容積が増加するので、貯留領域の容積が減少する。逆に、弾力性袋が廃液貯留槽内で収縮すると、弾力性袋の内部空間の容積が減少するので、貯留領域の容積が減少する。
【００２４】
前記弾力性袋の好ましい態様を例示すると、大きさは、弾力性袋が膨満した場合に廃液貯留槽の内壁に弾力性袋の大部分が密着し、かつ前記排気口を閉鎖する程度が特に好ましい。弾力性袋が膨満した際に廃液貯留槽の内壁に弾力性袋の大部分が密着していると、貯留領域が大幅に減少することになる。貯留流域が大幅に減少すると、廃液貯留槽の内面において減圧の影響を受ける面積が減少する。弾力性袋と廃液貯留槽とが密着している箇所は、弾力性袋の内面から外面に向って押圧する大気圧の力と、廃液貯留槽の外面から内面に向って押圧する大気圧の力とが平衡状態を保持することができる。これに対して、弾力性袋が膨満しても弾力性袋と廃液貯留槽とが密着していない箇所は、弾力性袋の初期状態に戻ろうとする力により貯留領域が減圧状態となっているので、貯留領域を形成する廃液貯留槽に対して、大気圧による負荷が生じる。よって、弾力性袋を廃液貯留槽の内壁に密着させることで、減圧状態にある貯留領域が廃液貯留槽に及ぼす負荷を軽減することができる。更に、弾力性袋が膨満して排気口を閉鎖すると、廃液貯留槽内の空気を排気している途中で排気口から排気不能となるので、排気口を閉鎖するまで弾力性袋が膨満したことを操作者が使用感で判別することができるようになり、更なるこの発明の廃液吸引装置の操作性向上を図ることができる。
【００２５】
また、弾力性袋の材料としては、膨満又は収縮可能な袋体を作製できる材料であれば良く、例えばラテックス及びポリウレタン等を用いることができる。
【００２６】
前記弾力性袋の形状としては、弾力性袋が膨満した場合に前記廃液貯留槽の内面に密着し易い形状が好ましく、前記廃液貯留槽の形状に合わせて選択すると良い。
【００２７】
この発明の廃液吸引装置における内容積可変部材は、通気孔を有している。
【００２８】
前記通気孔は、内容積可変部材の内部に存在している空気を排気することができるように一方向弁を装着している。該一方向弁は、前記排気口に装着される逆止弁と同様の効果を奏する弁体であり、内容積可変部材における内部から外部への空気の流通は生じるが、外部から内部への空気の流通は生じることがない。一方向弁の具体例としては、上述した逆止弁の具体例と同様の部材を採用することができる。
【００２９】
前記内容積可変部材は、内容積可変部材の内容積が増減することにより、廃液貯留槽から排気口を介して吸気し、通気孔を介して排気することができる。すなわち、内容積可変部材の内容積を増減させると、貯留領域の空気を吸引し、更に内容積可変部材の外部に抜いた空気を排気することができる。該内容積可変部材の実施態様としては、次に挙げる態様を採用すると好ましい。
【００３０】
先ず、廃液貯留槽が底面に排気口を設けた円筒体であり、かつ内容積可変部材が廃液貯留槽の周側面を摺動可能な有底円筒体のシリンダであることによって、内容積可変部材を廃液貯留槽の周側面を摺動すると、内容積可変部材の内周面及び底面と廃液貯留槽の底面の外壁とで形成される領域の容積が増減し、貯留領域の空気の吸引及び内容積可変部材の外部への空気の排気を達成可能な態様を挙げることができる。
【００３１】
続いて、廃液貯留槽の排気口と内部空間とが連通し、かつ両端が通気孔以外は閉塞した筒体であり、かつ周側面が蛇腹状の伸縮可能な部材を内容積可変部材として用いることによって、蛇腹状の周側面を内容積可変部材の軸方向に伸縮させると、内容積可変部材の底面及び蛇腹状の内周面と廃液貯留槽の底面の外壁とで形成される領域の容積が増減し、貯留領域の空気の吸引及び内容積可変部材の外部への空気の排気を達成可能な態様を挙げることができる。
【００３２】
更に、安全ピペッタ様の部材であって、弾性力を有しかつ膨満した球体と、廃液貯留槽の排気口に取り付けかつ開閉弁付きの気体の流路とを有する部材を内容積可変部材用いることによって、膨満している球体を押し潰すようにして圧縮し、通気孔から内容積可変部材内の空気を追い出すようにして排気した後に、気体の流路の開閉弁を開放状態にすると球体が膨満しようとするので廃液貯留槽内の空気を排気口を介して球体内に吸引することとなり、球体の圧縮及び開閉弁の開放を繰り返すと、貯留領域の空気の吸引及び内容積可変部材の外部への空気の排気を達成可能な態様も挙げることができる。
【００３３】
前記内容積可変部材の好ましい態様を例示すると、大きさは、操作者が操作しかつ把持し易い程度が好ましく、例えば成人女性及び成人男性が片手で把持できる程度の大きさであれば、医療現場等で医療従事者が支障なく操作することができる。
【００３４】
また、前記内容積可変部材において、操作者が把持する箇所等の比較的硬質な材料を使用するべき箇所には、前記廃液貯留槽で用いた材料と同様の材料を用いると良い。比較的硬質な内容積可変部材の材料として、例えばプラスチック、金属又はセラミック等を用いることができる。比較的硬質な内容積可変部材の材料においては、透明又は半透明のプラスチックが好ましく、ポリエチレン、ポリプロピレン、アクリロニトリルブタジエンスチレン共重合樹脂、アクリル樹脂等が特に好ましい。更に言うと、上述した安全ピペッタ様の部材を内容積可変部材として採用する場合は、弾性力を有するラテックス及びポリウレタン等の材料を用いることもできる。
【００３５】
前記内容積可変部材の形状としては、特に限定はされないが操作者が操作し易い形状、例えば把持し易い形状等を採用すると好ましい。
【００３６】
以下に、この発明の廃液吸引装置の使用方法及び作用を説明する。
【００３７】
この発明の廃液吸引装置は、内容積可変部材の内容積を変化させず、弾力性袋が収縮状態であるとき、廃液を廃液貯留槽内に吸引しない。このとき、貯留領域の空気をこの発明の廃液吸引装置の外部に排気して、廃液貯留槽内に廃液を吸引する前段階の準備を行うことができる。この前段階の準備としては、例えば生体内に留置されたカテーテルに結合された開閉弁付きのチューブとこの発明の廃液吸引装置の導入口とを接続し、チューブの開閉弁は閉塞状態にしておき、排出口を閉鎖状態にすることが挙げられる。
【００３８】
内容積可変部材の内容積を増加させると、通気孔に装着される一方向弁によりこの発明の廃液吸引装置の外部から内容積可変部材の内部に空気が流入することはないので、廃液貯留槽の排気口を介して、貯留領域に存在する空気が内容積可変部材の内部に吸気されることになる。更に、貯留領域内で空気が排気されることにより弾力性袋が膨満する。なお、排気口に装着される逆止弁により、内容積可変部材内に一旦吸気された空気は貯留領域に逆流することはない。
【００３９】
内容積可変部材の内容積を減少させると、排気口の逆止弁により貯留領域内に空気が逆流することはないので、内容積可変部材の内部に存在する気体がこの発明の廃液吸引装置の外部に通気孔を介して排気される。
【００４０】
弾力性袋が適度に膨満した状態となるまで内容積可変部材の内容積の増減を繰り返すことで、弾性力体の収縮状態に戻ろうとする力により貯留領域が減圧状態となるので、この発明の廃液吸引装置の貯留領域に廃液を導入することができるようになる。なお、貯留領域内に廃液を導入すると排気口に装着される逆止弁が廃液によって押圧されて開放し、内容積可変部材内に廃液が流入することが考えられる。内容積可変部材内への廃液の流入を防ぐ好適な態様として、貯留領域に廃液が導入し始める状態において、逆止弁を内容積可変部材側から貯留領域方向に押圧することにより、貯留領域側から内容積可変部材方向にも開放しないようにする態様が挙げられる。逆止弁を内容積可変部材側から押圧する態様としては、適宜の手段を用いることができる。その適宜の手段として、例えば排気口を通過する気体の流通とは逆方向に逆止弁又は排気口を閉塞する部材を設ける態様、及び内容積可変部材の内容積を最大まで増大させて固定することにより、排気口を通過する気体の流通とは逆方向に内容積可変部材内の空気が逆止弁を押圧する態様等を挙げることができる。
【００４１】
次に、廃液を廃液貯留槽内に導入口を介して導入し始める。廃液は、弾力性袋が収縮した体積分だけ導入され、弾力性袋が初期状態に戻るまで貯留領域内に導入され続ける。
【００４２】
廃液を導入し終わった後、廃液は排出口から排出される。
【００４３】
この発明の廃液吸引装置を医療現場で使用する場合、この廃液吸引装置は、特に衛生面を考慮して、使い捨てにするのが良い。もっとも、廃液の導入及び排出の後に廃液貯留槽等の清浄化を行うことにより、この発明の廃液吸引装置を繰り返して使用可能なようにしても良い。
【００４４】
以下に、図面を用いて、この発明の廃液吸引装置の実施態様を説明する。
【００４５】
この発明の廃液吸引装置における内容積可変部材の態様としては、２種類挙げることができる。具体的には、この発明の廃液吸引装置が初期状態において、内容積可変部材の内容積が最小である態様と最大である態様とに分けられる。以下の説明では、図１及び２を用いて初期状態に内容積可変部材の内容積が最小である廃液吸引装置を説明し、図３及び４を用いて初期状態に内容積可変部材の内容積が最大である廃液吸引装置を説明する。
【００４６】
図１には、この発明の一実施態様である廃液吸引装置１Ａを示す。廃液吸引装置１Ａは、廃液貯留槽２と、弾力性袋３と、内容積可変部材の一例であるシリンダー体４Ａとを備えている。なお、図１における中心線より右側ではシリンダー体４Ａの内容積が最小である状態を示し、中心線より左側では、シリンダー体４Ａの内容積が最大である状態を示している。
【００４７】
廃液貯留槽２は、有底円筒形状をなす蓋体５及び有底円筒形状をなす貯留部６を有しており、貯留部６の開口端部を覆蓋するように蓋体５が取り付けられている。蓋体５と貯留部６とは、蓋体５の下端周縁部に外側に張り出すようにして設けられるフランジ状の肩部７と貯留部６の上端周縁部が肉厚となった肩部装着部８とが一体的に固着されているので、両端が略閉塞された円筒形状を有する廃液貯留槽２を得ることができる。なお、肩部７及び肩部装着部８との固着方法としては、蓋体５と貯留部６とがこの発明の廃液吸引装置を通常に使用する状態において脱離しない方法であれば良く、例えば超音波溶着、熱溶着及び接着剤による接着等を挙げることができる。また、蓋体５と貯留部６とを別体的に設けることなく、予め導入口及び排出口等を備えたような両端を閉塞する円筒形状をなす筐体を廃液貯留槽として用いることもできる。
【００４８】
蓋体５は、導入口９、頸部１０、開口部１１及び排出口１２を有している。導入口９は、弾力性袋３の外面と廃液貯留槽の内面とで形成される領域、すなわち貯留領域１３に廃液を導入することができ、吸引管（図示せず）を取り付ける吸引管取付部１４を備えている。もっとも、吸引管取付部１４は、生体等から吸引管を延在立設する必要がある場合に設ければ良く、特に必要のない場合は設けなくとも良い。頸部１０は、その周側面でかつ開口部１１近傍に鍔部１５が設けられており、封蓋板１６で封蓋されている。頸部１０は、弾力性袋３及び封蓋板１６を固定的に取り付けることができる。また、封蓋板１６は、略中央に空気の流通可能な連通孔１７と、封蓋板１６の周囲において内側に張り出すように設けられる係止部１８とを有している。弾力性袋３の端部には、縁辺部１９が設けられている。図１に示される廃液吸引装置１Ａでは、弾力性袋３を蓋体５に固定する方法として、弾力性袋３の縁辺部１９を頸部１０の鍔部１５に載置した状態で、封蓋板１６の内面を弾力性袋３及び縁辺部１９に当接させつつ係止部１８を鍔部１５の下端面に係止させる方法を採用した。この方法では、封蓋板１６の内壁面と鍔部１５とで弾力性袋３を挟み込むようにして廃液貯留槽２に固定することができる。排出口１２は、貯留領域１３内に吸引及び貯留した廃液を排出することができ、貯留領域１３の空気を抜く際に、空気が外部から流入することがないように栓体２０を取り付けている。
【００４９】
貯留部６の底面であるところの槽底部２１には、略中央部に排気口２２と弁体取付部２３Ａと逆止弁２４と保持部材２５Ａとが設けられている。排気口２２に取り付けられる逆止弁２４は、排気口２２を囲繞するように立設されかつ有底円筒状をなす弁体取付部２３Ａに嵌め込むようにして装着されている。更に、環状の保持部材２５Ａは、逆止弁２４が空気に押圧されて弁体取付部２３Ａから脱離しないように逆止弁２４の端縁を押さえ付けている。保持部材２５Ａは、弁体取付部２３Ａに嵌合状態であっても良いし、溶着状態又は接着状態であっても良い。
【００５０】
弁体取付部２３Ａと貯留部６の周側面が突設されてなる外壁部２６との間でかつ槽底部２１の下端面には、廃液貯留槽２の軸線に平行な板体であるリブ２７が立設している。リブ２７は、貯留領域１３が減圧状態となったときに廃液貯留槽２が変形及び破損することがないように補強材として作用する。
【００５１】
シリンダー体４Ａは、有底円筒形状を有しており、一実施態様として廃液貯留槽２の周側面を摺動することのできるシリンダが採用されている。
【００５２】
シリンダー体４Ａの底面であるところの底面部２８には、略中央部に通気孔２９と弁体取付部２３Ｂと逆止弁２４と保持部材２５Ｂとが設けられている。通気孔２９は、シリンダー体４Ａの内部と外部とを連通可能に設けられた孔である。通気孔２９に取り付けられる一方向弁３０は、通気孔２９を囲繞するように立設される弁体取付部２３Ｂに嵌め込むようにして装着されている。更に、保持部材２５Ｂは、一方向弁３０が空気に押圧されて弁体取付部２３Ｂから脱離しないように一方向弁３０の端縁を押さえ付けている。保持部材２５Ｂは、弁体取付部２３Ｂに嵌合状態であっても良いし、溶着状態又は接着状態であっても良い。
【００５３】
シリンダー体４Ａは、底面部２８の略中央部にシリンダー体４Ａの内部に向って突設される凸状部３１を有している。凸状部３１は、図１の中心線より右側に示されるように、シリンダー体４Ａが上死点に達したときに、凸状部３１の上端面全面が逆止弁２４の下端面全面に当接する。よって、図１に示される廃液貯留槽２内に廃液を導入した場合に、廃液がその重量で逆止弁２４を上から下に向って押圧しても、凸状部３１が逆止弁２４を下から上に向って押し上げているので廃液がシリンダー体４Ａ又は廃液吸引装置１Ａの外部に漏出することがない。
【００５４】
図１におけるシリンダー体４Ａの上端でかつ内周面には、パッキン３２が装着されている。パッキン３２は、廃液貯留槽２の周側面に摺動することができると共に、シリンダー体４Ａの内部に存在する空気が通気孔以外から漏出することがないように廃液貯留槽２の周側面に気密に密着している。パッキン３２とシリンダー体４Ａとは、一体成形、溶着又は接着等の適宜の方法で固着されている。
【００５５】
また、廃液吸引装置１Ａは、シリンダー体４Ａが図１における中心線を軸に回動することを防ぐ回動防止部３３を備えている。回動防止部３３は、凸部３４、溝部３５、下端規制部３６及び上端規制部３７を有している。凸部３４は、貯留部６の下端近傍でかつ周側面に突設され、直方体を貯留部６の周側面に貼り付けたような形状をなす。溝部３５の下端及び上端には、下端規制部３６及び上端規制部３７が付設されており、凸部３４の可動範囲を規制している。図１に示されるように、シリンダー体４Ａが上死点に達している場合は凸部３４が下端規制部３６に当接し、シリンダー体４Ａが下死点に達している場合は凸部３４が上端規制部３７に当接している。シリンダー体４Ａを廃液貯留槽２に取り付ける方法は、パッキン３２及び上端規制部３７が凸部３４を乗越えるように圧入される。
【００５６】
回動防止部３３は、シリンダー体４Ａの回動を防止すると共に、シリンダー体４Ａの摺動を案内する案内部材としても作用する。
【００５７】
図２には、図１に示した廃液吸引装置１ＡをＸ−Ｙ線で切断した断面図を示す。
【００５８】
図２に示されるように、シリンダー体４Ａの内周面に設けられる溝部３５と、貯留部６の外周面に設けられる凸部３４とが摺接している。貯留部６における底面部２８の略中央部には、排気口２２が４箇所設けられている。なお、この発明の廃液吸引装置において、排気口及び通気孔の数は、この発明の目的が達成できる限り任意である。図２において、破線で示すのは、底面部２８の貯留領域（図示せず）ではない側に設けられる部材である。破線で示される部材として、排気口２２の間を切込みが通過するように装着された逆止弁２４、逆止弁２４が嵌まり込むようにして装着される弁体取付部２３Ａ、弁体取付部２３Ａから半径方向に付設された６つのリブ２７、及びリブ２７の一端が当接しかつ弁体取付部２３Ａと同心を有している外壁部２６が示されている。
【００５９】
以下に、図１及び２に示す廃液吸引装置１Ａの使用方法及び作用を説明する。
【００６０】
先ず、貯留領域１３内の空気を外部に排出する前段階の準備を行う。前段階の準備としては、例えば生体内に留置されたカテーテルから延在立設される開閉弁付きの吸引管（図示せず）を吸引管取付部１４に取付ける。更に、準備としては、栓体２０により排出口１２を封止する。準備のときには、導入口９に取り付ける吸引管の開閉弁を閉鎖状態にしておき、貯留領域１３内の空気の排出が完了してから開閉弁を開放状態にする。準備を行っただけでは、各部材の体積の増減が無いので、貯留領域１３に空気の流通は生じない。
【００６１】
次に、シリンダー体４Ａの内容積を増加させる。すなわち、シリンダー体４Ａの周側面を把持して図１における下方向に引き下げると、通気孔２９に装着される一方向弁３０により廃液吸引装置１Ａが閉鎖されているので、廃液貯留槽２の排気口２２を介して、貯留領域１３に存在する空気がシリンダー体４Ａの内部に吸気されることになる。このとき、貯留領域１３内の減少した空気の体積分だけ連通孔１７から空気が弾力性袋３の内部に流入することにより、弾力性袋３が膨満する。なお、排気口２２に装着される逆止弁２４により、シリンダー体４Ａに一旦吸気された空気は貯留領域１３に逆流することはない。
【００６２】
効率的に貯留領域１３内の空気を廃液吸引装置１Ａの外部に排気するには、凸部３４がシリンダー体４Ａの内周面の上端規制部３７に当接し、シリンダー体４Ａが下死点に達するまでシリンダー体４Ａを引き下げると良い。
【００６３】
続いてシリンダー体４Ａを上方向に引き上げ始める。
【００６４】
シリンダー体４Ａの内容積を減少させる。すなわちシリンダー体４Ａの周側面を把持して図１における上方向にシリンダー体４Ａを引き上げると、排気口２２の逆止弁２４により貯留領域１３内に空気が逆流することはないので、通気孔２９を介してシリンダー体４Ａの内部に存在する気体が廃液吸引装置１Ａの外部に排気される。
【００６５】
効率的に貯留領域１３内の空気を廃液吸引装置１Ａの外部に排気するには、シリンダー体４Ａの内容積の変化が大きい方が良いので、凸部３４がシリンダー体４Ａの内周面の下端規制部３６に当接し、シリンダー体４Ａが上死点に達するまでシリンダー体４Ａを引き上げると良い。
【００６６】
シリンダー体４Ａの内容積を増減させる操作は、弾力性袋３が適当に膨満した状態となるまで繰り返すことにより、貯留領域１３に廃液を導入することができるようになる。好ましくは、弾力性袋３が排気口２２を閉塞するまで膨満させると、シリンダー体４Ａの内容積を増加できなくなり、弾力性袋３が廃液貯留槽２の内壁に密着するまで膨満したということが操作者の使用感で感知できる。廃液吸引装置１Ａは、シリンダー体４Ａの増減だけで排気操作を行うことができるので、操作性が良い。更に、図１に示すような排気口等の配置を有する構造であると、弾力性袋の膨満状態を操作者の使用感で感知できるので、より一層の操作性の向上を図ることができる。
【００６７】
次に、廃液を廃液貯留槽２内に導入口９を介して導入し始める。このとき、シリンダー体４Ａは、凸部３４が下端規制部３６に当接する上死点まで引き上げておく。廃液は、弾力性袋３が収縮した体積分だけ導入されることとなる。なお、廃液吸引装置１Ａでは、廃液を導入する際に凸状部３１が逆止弁２４を押圧しており、廃液がシリンダー体４Ａ内及び廃液吸引装置１Ａの外部に漏出しないので、衛生面が良好でありかつ安全性が高い。
【００６８】
廃液の導入は、弾力性袋３が初期状態に戻るまで持続する。
【００６９】
廃液を導入し終わった後、吸引管から導入口９を取外し、排出口１２の栓体２０を開放状態にした後、廃液を排出口１２から排出する。
【００７０】
次に、図３に示すこの発明の一実施多様である廃液吸引装置１Ｂについて説明する。
【００７１】
図３に示す廃液吸引装置１Ｂにおいて、図１に示される廃液吸引装置１Ａとの相違点は、内容積可変部材の一例である蛇腹体４Ｂを用いている点である。なお、蛇腹体４Ｂ以外の部材については、廃液吸引装置１Ａの部材と同一であるので、図１に図示する番号と同一の番号を付すと共に、詳細な説明を省略する。
【００７２】
蛇腹体４Ｂは、上面部３８と蛇腹部３９と下面部４０とを有している。
【００７３】
上面部３８は、廃液貯留槽２の下端部を囲繞して固定される有底円筒体の底面である。上面部３８を底面とする有底円筒体は、その内周面において、凸部３４に嵌合可能な固定部４１を有している。固定部４１は、凸部３４ががたつき無く嵌合する形状を有しており、蛇腹体４Ｂと廃液貯留槽２とを固定して接合することができる。なお、固定部４１と凸部３４とは、固定的に嵌合していても良く、また接着又は溶着等により固着されていても良い。上面部３８の略中央部には、貯留領域１３内の空気が蛇腹体４Ｂに流入可能なように空気流通口４２が設けられている。
【００７４】
蛇腹部３９は、管状部材であり、周側面において山部４３と谷部４４とが交互に複数連なっている。蛇腹部３９は、山部４３と谷部４４との水平距離が小さくなることにより、軸線方向に伸縮することができる。
【００７５】
図３における下面部４０は、蛇腹部３９の下端を閉塞する部材であると共に、略中央部には図１のシリンダー体４Ａの底面部と同様の部材を備えている。また、下面部４０には、給気孔４５及び給気栓４６が設けられている。下面部４０に設けられた孔である給気孔４５と、給気孔４５に気密に着脱可能に装着される給気栓４６とは着脱可能であり、給気栓４６が給気孔４５から脱離状態であると蛇腹体４Ｂ内に外部から空気を供給することができる。
【００７６】
以下に、図３に示す廃液吸引装置１Ｂの使用方法及び作用を説明する。
【００７７】
先ず、貯留領域１３内の空気を外部に排出する前段階の準備を行う。該準備については、上述した廃液吸引装置１Ａと同様の操作を行えば良い。
【００７８】
次に、蛇腹体４Ｂの内容積を減少させる。すなわち蛇腹体４Ｂの下面部４０を図３における上方向に押し上げると、排気口２２の逆止弁２４により廃液吸引装置１Ｂが閉鎖されているので、通気孔２９を介して蛇腹体４Ｂの内部に存在する気体が廃液吸引装置１Ｂの外部に排気される。
【００７９】
続いて、蛇腹体４Ｂを下方向に引き下げ始める。なお、蛇腹部３９が伸縮し易い材料である場合は、操作者が操作することなく初期状態に戻ろうとする。蛇腹体４Ｂの内容積を増加させると、通気孔２９に装着される一方向弁３０により廃液吸引装置１Ｂの外部から空気が流入することはないので、廃液貯留槽２の排気口２２を介して、貯留領域１３に存在する空気が蛇腹体４Ｂの内部に吸気されることになる。このとき、貯留領域１３内の減少した空気の体積分だけ連通孔１７から空気が流入することにより、弾力性袋３が膨満する。なお、排気口２２に装着される逆止弁２４により、蛇腹体４Ｂに一旦吸気された空気は貯留領域１３に逆流することはない。
【００８０】
効率的に貯留領域１３内の空気を廃液吸引装置１Ｂの外部に排気するには、蛇腹体４Ｂの内容積の変化が大きい方が良いので、下面部４０を上死点に達するまで押し上げると良い。
【００８１】
蛇腹体４Ｂの内容積を増減させる操作は、弾力性袋３が適当に膨満した状態となるまで繰り返すことにより、貯留領域１３に廃液を導入することができるようになる。好ましくは、弾力性袋３が排気口２２を閉塞するまで膨満させると、蛇腹体４Ｂの内容積を増加できなくなり、弾力性袋３が廃液貯留槽２の内壁に密着するまで膨満したということが操作者の使用感で感知できる。廃液吸引装置１Ｂは、蛇腹体４Ｂの増減だけで排気操作を行うことができるので、操作性が良い。更に、図３に示すような排気口等の配置を有する構造であると、弾力性袋の膨満状態を操作者の使用感で感知できるので、より一層の操作性の向上を図ることができる。
【００８２】
次に、廃液を廃液貯留槽２内に導入口９を介して導入し始める。このとき、蛇腹体４Ｂは、給気栓４６を取外して外部の空気を蛇腹体４Ｂ内に供給することにより、初期状態である下死点まで戻しておく。蛇腹体４Ｂ内への空気の供給が完了すると、給気栓４６を給気孔４５に装着されて閉塞状態とする。廃液は、弾力性袋３が収縮した体積分だけ導入されることとなる。なお、廃液吸引装置１Ｂでは、蛇腹体４Ｂを上述のように下死点に戻しておくと、蛇腹体４Ｂ内が廃液が流入する余地が無い程度に空気で満たされており、蛇腹体４Ｂ内の空気で逆止弁２４を押圧している状態となる。したがって、廃液を導入したとしても、廃液が蛇腹体４Ｂ内に廃液が流入することがなく、廃液吸引装置１Ｂの外部に漏出することがないので、衛生面が良好でありかつ安全性が高い。
【００８３】
廃液の導入は、弾力性袋３が初期状態に戻るまで持続する。
【００８４】
廃液を導入し終わった後、吸引管から導入口９を取外し、排出口１２の栓体２０を開放状態にした後、廃液を排出口１２から排出する。
【００８５】
次に、図４に示すこの発明の一実施多様である廃液吸引装置１Ｃについて説明する。
【００８６】
図４のこの発明の一実施態様である廃液吸引装置１Ｃにおいて、図１の廃液吸引装置１Ａとの相違点は、内容積可変部材の一例であるピペッタ４Ｃを用いている点である。なお、ピペッタ４Ｃ以外の部材については、廃液吸引装置１Ａ又は廃液吸引装置１Ｂの部材と同一であるので、図１及び３に図示する番号と同一の番号を付すと共に、詳細な説明を省略する。
【００８７】
ピペッタ４Ｃは、固定装着部４７と弾性球４８とを有している。
【００８８】
固定装着部４７は、廃液吸引装置１Ｂにおける上面部３８を有する有底円筒体と略同様の部材であり、廃液貯留槽２の下端部を囲繞して固定される有底円筒形状を有する部材である。固定装着部４７と、廃液吸引装置１Ｂにおける上面部３８を有する有底円筒体との相違点は、略中央部に軸方向に立設される筒状の取付口４９を有していることである。
【００８９】
弾性球４８は、ゴム等の弾性力を有する材料を用いて得られる部材であり、全体として弾性力を有している。図４における弾性球４８の上端部には、嵌着部５０が設けられ、該嵌着部５０が取付口４９に気密に嵌着している。もっとも、嵌着部５０は、取付口４９に嵌着した後に、接着又は溶着されていても良い。前記弾性球４８は、嵌着部５０以外に、ボール弁５１、拡縮部５２、可撓性弁５３、膨大部５４Ａ及び５４Ｂ、封止部５５並びに貫通孔５６も有している。廃液吸引装置１Ｃの初期状態においては、球体のボール弁５１は、ボール弁５１の形状に合わせて膨大している膨大部５４Ａに気密に収容される。また、廃液吸引装置１Ｃの初期状態においては、可撓性弁５３は、球状に膨大している膨大部５４Ｂの内部上端であって、弾性球４８の内外を隔絶する封止部５５に設けられた貫通孔５６を閉鎖するように、膨大部５４Ｂに収容される。よって、廃液吸引装置１Ｃの初期状態では、弾性球４８の内外に流体の流通を生じさせない。膨大部５４Ａを操作者が挟持することにより、膨大部５４Ａとボール弁５１との間に間隙が生じて流体が流通できるようになる。拡縮部５２は、内容積が増減可能な部位であり、略球体である。なお図示されないが、可撓性弁５３は、図４における右端部分が膨大部５４Ｂ内部に接着され、封止部５５の貫通孔５６を閉鎖している左端部分が下方に押開可能なように、膨大部５４Ｂに取り付けられている。
【００９０】
以下に、図４に示す廃液吸引装置１Ｃの使用方法及び作用を説明する。
【００９１】
先ず、貯留領域１３内の空気を外部に排出する前段階の準備を行う。該準備については、上述した廃液吸引装置１Ａと同様の操作を行えば良い。
【００９２】
次に、ピペッタ４Ｃの内容積を減少させる。すなわち拡縮部５２を押し潰すようにして弾性球４８を圧縮すると、逆止弁２４及びボール弁５１により貯留領域１３は閉鎖されているので、拡縮部５２内の空気が貫通孔５６を介して可撓性弁５３を押開し、更に通気孔２９を通過してピペッタ４Ｃの内部に存在する気体が廃液吸引装置１Ｃの外部に排気される。
【００９３】
続いて、ピペッタ４Ｃの内容積を増加させ始める。拡縮部５２の圧縮を解除して膨大部５４Ａを挟持すると、可撓性弁５３が貫通孔５６を閉鎖し、更に拡縮部５２が初期状態に戻ろうとしてその内容積を増加させようとする。しかしながら、可撓性弁５３により弾性球４８は閉鎖されているので、廃液貯留槽２の排気口２２を介して、貯留領域１３に存在する空気がピペッタ４Ｃの拡縮部５２に吸気されることになる。このとき、貯留領域１３内の減少した空気の体積分だけ連通孔１７から空気が流入することにより、弾力性袋３が膨満する。なお、排気口２２に装着される逆止弁２４により、ピペッタ４Ｃに一旦吸気された空気は貯留領域１３に逆流することはない。
【００９４】
効率的に貯留領域１３内の空気を廃液吸引装置１Ｃの外部に排気するには、ピペッタ４Ｃの内容積の変化が大きい方が良いので、拡縮部５２を押し潰すように空気を追い出す際にできる限り拡縮部５２内の空気を追い出すと良い。
【００９５】
ピペッタ４Ｃの内容積を増減させる操作は、弾力性袋３が適当に膨満した状態となるまで繰り返すことにより、貯留領域１３に廃液を導入することができるようになる。好ましくは、弾力性袋３が排気口２２を閉塞するまで膨満させると、ピペッタ４Ｃの内容積を増加できなくなり、弾力性袋３が廃液貯留槽２の内壁に密着するまで膨満したということが操作者の使用感で感知できる。廃液吸引装置１Ｃは、ピペッタ４Ｃの増減だけで排気操作を行うことができるので、操作性が良い。更に、図４に示すような排気口等の配置を有する構造であると、弾力性袋の膨満状態を操作者の使用感で感知できるので、より一層の操作性の向上を図ることができる。
【００９６】
次に、廃液を廃液貯留槽２内に導入口９を介して導入し始める。このとき、ピペッタ４Ｃは、膨大部５４Ａの挟持を解除しておく。廃液は、弾力性袋３が収縮した体積分だけ貯留領域１３に導入されることとなる。なお、廃液吸引装置１Ｃでは、逆止弁２４が貯留領域１３内に貯留される廃液の重量で押開されたとしても、ボール弁５１によって拡縮部５２内への廃液の流入を防ぐことができ、廃液吸引装置１Ｃの外部に廃液が漏出しないので、衛生面が良好でありかつ安全性が高い。この発明の廃液吸引装置は、廃液吸引装置１Ｃのボール弁５１のように、廃液貯留槽２の逆止弁２４を直接的に閉鎖しなくとも、結果的に廃液吸引装置１Ｃの外部に廃液を漏出させないような構成も採用することができる。
【００９７】
廃液の導入は、弾力性袋３が初期状態に戻るまで持続する。
【００９８】
廃液を導入し終わった後、吸引管から導入口９を取外し、排出口１２の栓体２０を開放状態にした後、廃液を排出口１２から排出する。
【００９９】
この発明の廃液吸引装置は、内容積可変部材の内容積を増減させるだけで、廃液貯留槽内の空気を吸気し、更に外部に排出することができるので、廃液を導入するまでの操作が簡便であり、操作性が良好である。
【０１００】
なお、この発明の廃液吸引貯留装置は、発明の目的を達成することのできる限り、種々の設計変更を採用することができる。
【図面の簡単な説明】
【０１０１】
【図１】図１は、この発明の廃液吸引装置の一実施例を示す断面図である。
【図２】図２は、図１に示される廃液吸引装置をＸ−Ｙ線で切断した断面図である。
【図３】図３は、この発明の廃液吸引装置の別の実施例を示す断面図である。
【図４】図４は、この発明の廃液吸引装置の別の実施例を示す断面図である。
【符号の説明】
【０１０２】
１Ａ、１Ｂ、１Ｃ    廃液吸引装置
２        廃液貯留槽
３        弾力性袋
４Ａ      シリンダー体
４Ｂ      蛇腹体
４Ｃ      ピペッタ
５        蓋体
６        貯留部
７        肩部
８        肩部装着部
９        導入口
１０      頸部
１１      開口部
１２      排出口
１３      貯留領域
１４      吸引管取付部
１５      鍔部
１６      封蓋板
１７      連通孔
１８      係止部
１９      縁辺部
２０      栓体
２１      槽底部
２２      排気口
２３Ａ、２３Ｂ    弁体取付部
２４      逆止弁
２５Ａ、２５Ｂ    保持部材
２６      外壁部
２７      リブ
２８      底面部
２９      通気孔
３０      一方向弁
３１      凸状部
３２      パッキン
３３      回動防止部
３４      凸部
３５      溝部
３６      下端規制部
３７      上端規制部
３８      上面部
３９      蛇腹部
４０      下面部
４１      固定部
４２      空気流通口
４３      山部
４４      谷部
４５      給気孔
４６      給気栓
４７      固定装着部
４８      弾性球
４９      取付口
５０      嵌着部
５１      ボール弁
５２      拡縮部
５３      可撓性弁
５４Ａ、５４Ｂ    膨大部
５５      封止部
５６      貫通孔
【図１】
2009112453.tif 000003
【図２】
2009112453.tif 000004
【図３】
2009112453.tif 000005
【図４】
2009112453.tif 000006